(57)【要約】【課題】従来の靴下は、筒状の袋で形成されているため、足への拘束力が大きく必要に応じて容易に足を露出できなかったことによる不快感を解消するために、足部の利便性を高めた快適な靴下を提供する。【解決手段】ストッキング１の足底部４に爪先部２から足が出入り可能な大きさに開口部８を形成し、縁には内側に凹凸を設けた伸縮性に優れた素材ａ９をつなぎ合わせる。また、内側に凹凸を設けた伸縮性に優れた素材ｂ１１を縁につなぎ合わせたカバー１０が爪先部２から開口部８を被うことによって開閉部１２が設けられ、爪先部から足部の着脱が可能な快適靴下。【選択図】  図１
2004308029.tif 000002
【特許請求の範囲】
【請求項１】
靴下の足底部に爪先部から、伸縮性に優れた素材を縁に有する開口部を形成する。また、伸縮性に優れた素材を縁に有するカバーを形成し、爪先部から開口部を被うことによって開閉部が設けられることを特徴とする爪先部から足部の着脱が可能な快適靴下。
【請求項２】
靴下の足甲部に爪先部から、伸縮性に優れた素材を縁に有する開口部を形成する。また、伸縮性に優れた素材を縁に有するカバーを形成し、爪先部から開口部を被うことによって開閉部が設けられることを特徴とする爪先部から足部の着脱が可能な快適靴下。
【請求項３】
請求項第１項又は第２項記載の爪先部から足部の着脱が可能な快適靴下において、足底部又は足甲部に形成された開口部及び開閉部の縁に有する伸縮性に優れた素材の内側に凹凸を設けることを特徴とする爪先部から足部の着脱が可能な快適靴下。
【請求項４】
請求項第１項又は第２項記載の爪先部から足部の着脱が可能な快適靴下において、足底部又は足甲部に形成された開口部の縁に有する伸縮性に優れた素材に足指を入れる穴を設けることを特徴とする爪先部から足部の着脱が可能な快適靴下。
【発明の詳細な説明】
【０００１】
【発明の属する技術分野】
本発明は、足を包み込む袋となっている靴下に関するもので、詳しくはストッキング、タイツ、ソックスなどにおける足部の改良に関するものである。
【０００２】
【従来の技術】
従来は、足の保護、保温を目的とした靴下が一般的に利用されている。
この靴下は、ウエストから爪先、膝下から爪先、足首から爪先までなど、形態は様々であるが何れも足を包み込む筒状の袋となり、靴下の中に足が閉じ込められ、快適な刺激を与えることなく構成されている。そのため、靴下を履口部から爪先部まで両手でたくし持つようにして爪先から踵、足首、脚、ウエストなどへ順に引っ張り上げて着装され、足に快適な刺激を与えることなく着用されている。
【０００３】
また、足指の水虫やニオイ予防のため、指の間を清潔に保つ足指の間カバーは、靴下の下に重ねて履かれている。
【０００４】
【発明が解決しようとする課題】
本発明の第１の目的は、従来の靴下は足を包み込む筒状の袋となっているため、足への拘束力が大きく靴下を全部脱いでしまわないと、足に付着している汗や汚れ、蒸れによる不快感を解消するのが煩わしく、また、爪先だけを露出して爪や指の間の手入れなどを行えず、必要に応じて容易に足を露出できないという問題点があり、また足に快適な刺激を与える構成ではなかった。
【０００５】
本発明の第２の目的は、従来のストッキングやタイツなどは、丈の長い筒状の袋で形成されているため、ウエスト部の履口部から爪先部まで両手でたくし持って、引っ張り上げて着装されている。
【０００６】
しかしながらこの方法は、たくし持つ時に尖った爪やかさついた手の皮膚がストッキング又はタイツに引っかかり損傷を受ける機会が多く、筒丈が長いので表裏を間違えてねじれやすく、着装時に強く引っ張り上げすぎると爪先が締め付けられるなど足への着装が煩雑であるという問題点がある。
【０００７】
また、乳児にタイツを着装させる場合に、爪先部までたくし持ったタイツを乳児の爪先に被せても、手足を活発に動かして寝返りなどをし、更にハイハイをして逃げていってしまうので、爪先に被せたタイツがすぐに脱げてしまい、乳児にタイツを着装させるのは一苦労である。
【０００８】
本発明の第３の目的は、従来の靴下は通気性のある筒状の袋で形成されているため、外での仕事やスポーツの際に通気性の良い靴を履くと、足指の間に砂埃やゴミが溜まり、更に足から発散された汗と一緒になって足指の間に残留してしまい、長時間靴下内で蒸れた状態にあると皮膚炎の原因になるという問題点がある。
【０００９】
また、従来の足指の間カバーは、靴下とは一連に構成されていないため、通常、靴下の下に重ねて着用するものであり、二重になることからゴワついて違和感があるという問題点がある。
【００１０】
ここに本発明の目的は、靴下を全部脱がなくても爪先から踵、足首というように目的に応じた位置にまで靴下を引き上げ、足を露出させることが可能であり、また、靴下を足首から踵、爪先へ順に着装していくことで爪先に負担をかけなくてもすみ、足部の表裏の区別がつきやすく、かつ足指の間を清潔に保ち、足を刺激してマッサージ効果を付与し、利便性を高めた靴下を提供することにある。
【００１１】
【課題を解決するための手段】
上記の課題を解決するため、本発明の爪先部から足部の着脱が可能な快適靴下は、足底部又は足甲部に爪先部から足が出入り可能な大きさに開口部を形成し、この開口部の縁には靴下のズレを防止して動作に適合させるため、伸縮性に優れた素材をつなぎ合わせる。
【００１２】
次に、開口部同様に靴下のズレを防止して動作に適合させるため、伸縮性に優れた素材を縁につなぎ合わせたカバーを形成し、爪先部から開口部の上面に設ける。この伸縮性に優れた素材をつなぎ合わせたカバーを設けることによって、開口部を隠すことが可能になり、従来の靴下同様に足の保護、保温の機能を維持する開閉部となることを特徴とする。
【００１３】
上記構成による本発明の爪先部から足部の着脱が可能な快適靴下において、着装してある足を露出させる場合、足底部又は足甲部に設けられた開閉部の縁に有する伸縮性に優れた素材が大きく開き、爪先部で開口部の裏側へ折り返すことによって、開口部より爪先部から踵部の靴下を足首へ引き上げて足を露出する。
【００１４】
また、足を着装させる場合は、上記足首に引き上げた爪先部から踵部の靴下を開口部より足首から踵、爪先へ引き下げ、開口部の裏側にある開閉部を爪先部で開口部上面へ折り返すことによって、開口部を隠して足を着装する。
【００１５】
さらに、足底部又は足甲部に形成された開口部及び開閉部の縁に有する伸縮性に優れた素材の内側に凹凸を設けることによって、この凹凸が着装時に動くたび足に快適な刺激となり、マッサージ効果が得られるように構成することも可能である。
【００１６】
また、足底部又は足甲部に形成された開口部の縁に有する伸縮性に優れた素材に足指の入る穴を５つ形成し、この穴に５本の足指をはめることによって足指の間を清潔に保つように構成することも可能である。
【００１７】
【発明の実施の形態】
以下に、本発明の実施例を詳細に説明する。
図１は本発明の第１実施例の概略構成を示すものである。この図において、第１実施例は靴下をストッキングとした例であり、このストッキング１は、爪先部２、足甲部３、足底部４、踵部５、脚部６、履口部７からなるストッキングである。
【００１８】
図１に示すように、ストッキング１の足底部４に爪先部２から足が出入り可能な大きさに開口部８を形成し、縁には内側に凹凸を設けた伸縮性に優れた素材ａ９をつなぎ合わせる。
【００１９】
次に、爪先部２から、開口部８が隠れるようにカバー１０を形成し、縁には内側に凹凸を設けた伸縮性に優れた素材ｂ１１を土踏まずの形成に沿うように斜めにつなぎ合わせる。このつなぎ合わせたカバー１０を爪先部２から開口部８の上面に被せ、周りを袋状に縫合することによって、足底部４に開口部８を現したり、隠したりする開閉部１２が設けられる。
【００２０】
上記による構成によって、図３に示すストッキング１の足底部４に設けられた開閉部１２を爪先部２の縫合部で足甲部３へ折り返すと、開口部８から足指が現れる。
【００２１】
次に、足甲部３へ折り返した開閉部１２の縁に有する凹凸を設けた伸縮性に優れた素材ｂ１１と開口部８の縁に有する凹凸を設けた伸縮性に優れた素材ａ９が足を介してフィットし、図４に示すように開口部８より爪先部２から踵部５を足首へ引き上げ足を露出する。
【００２２】
この場合、凹凸を設けた伸縮性に優れた素材ｂ１１及び凹凸を設けた伸縮性に優れた素材ａ９が足を露出した際にストッキング１がずり落ちるのを防止する。
また、この足首に引き上げた爪先部２から踵部５を脚部６に折り上げることも可能である。
【００２３】
図４に示す足を露出した状態から着装する場合は、足首へ引き上げた開口部８より足首から踵、爪先へ順にストッキング１を引き下げ、足甲部３にある開閉部１１を爪先部２の縫合部で足底部４へ折り返すことによって、図３に示すように足指及び開口部８を隠して着装される。
【００２４】
また、着用すると凹凸を設けた伸縮性に優れた素材ａ９と土踏まずの形成に沿うように斜めに有する凹凸を設けた伸縮性に優れた素材ｂ１１が動くたびに足に刺激を与え血行をよくする。さらに、凹凸を設けた伸縮性に優れた素材ｂ１１を斜めに設けることにより、開閉部１２が折り返しやすくなる。
【００２５】
なお、この第１実施例では、ストッキングの足底部としたが、足甲部に構成してもよく、また、タイツ及びソックスに構成してもよい。
【００２６】
次に、図５は本発明の第２実施例の概略構成を示すものである。この図において、第２実施例は靴下をタイツとした例であり、このタイツ１３は、爪先部１４、足甲部１５、足底部１６、踵部１７、脚部１８、履口部１９からなるタイツである。
【００２７】
図５に示すように、タイツ１３の足甲部１５に爪先部１４から足が出入り可能な大きさに開口部２０を形成し、縁には伸縮性に優れた素材ａ２１をつなぎ合わせる。
【００２８】
次に、爪先部１４から、開口部２０が隠れるようにカバー２２を形成し、縁には伸縮性に優れた素材ｂ２３をつなぎ合わせる。このつなぎ合わせたカバー２２を爪先部１４から開口部２０の上面に被せ、周りを袋状に縫合することによって、足甲部１５に開口部２０を現したり、隠したりする開閉部２４が設けられる。
【００２９】
上記による構成によって、図６に示すタイツ１３の足甲部１５に設けられた開閉部２４を爪先部１４の縫合部で足底部１６へ折り返すと、開口部２０から足指が現れる。
【００３０】
次に足底部１６へ折り返した開閉部２４の縁に有する伸縮性に優れた素材ｂ２３と開口部２０の縁に有する伸縮性に優れた素材ａ２１が足を介してフィットし、図７に示すように開口部２０より爪先部１４から踵部１７を足首へ引き上げ足を露出する。
【００３１】
図７に示す足を露出した状態から着装する場合は、足首へ引き上げた開口部２０より足首から踵、爪先へ順にタイツ１３を引き下げ、足底部１６にある開閉部２４を爪先部１４の縫合部で足甲部１５へ折り返すことによって、図６に示すように足指及び開口部２０を隠して着装される。
【００３２】
なお、この第２実施例では、タイツの足甲部としたが、足底部に構成してもよく、また、ストッキング及びソックスに構成してもよい。
【００３３】
次に、図８は本発明の第３実施例の概略構成を示すものである。この図において、第３実施例は靴下をソックスとした例であり、このソックス２５は、爪先部２６、足甲部２７、足底部２８、踵部２９、脚部３０、履口部３１からなるソックスである。
【００３４】
図８に示すように、ソックス２５の足底部２８に爪先部２６から足が出入り可能な大きさに開口部３２を形成し、縁には足指の入る穴を５つ設けた伸縮性に優れた素材３３をつなぎ合わせる。
【００３５】
次に、爪先部２６から、開口部３２が隠れるようにカバー３４を形成し、縁には内側に凹凸を設けた伸縮性に優れた素材３５を土踏まずの形成に沿うように斜めにつなぎ合わせる。このつなぎ合わせたカバー３４を爪先部２６から開口部３２の上面に被せ、周りを袋状に縫合することによって、足底部２８に開口部３２を現したり、隠したりする開閉部３６が設けられる。
【００３６】
上記による構成によって、図９に示すソックス２５の足底部２８に設けられた開閉部３６を爪先部２６の縫合部で足甲部２７へ折り返すと、開口部３２の縁に有する穴を５つ設けた伸縮性に優れた素材３３の５つの穴から足指が現れ、その足指にはめてある穴を５つ設けた伸縮性に優れた素材３３を外して爪先を露出する。
【００３７】
次に、足甲部２７へ折り返した開閉部３６の縁に有する凹凸を設けた伸縮性に優れた素材３５と開口部３２の縁に有する穴を５つ設けた伸縮性に優れた素材３３が足を介してフィットし、図１０に示すように開口部３２より爪先部２６から踵部２９を足首へ引き上げ足を露出する。
【００３８】
図１０に示す足を露出した状態から着装する場合は、足首へ引き上げた開口部３２より足首から踵、爪先へ順にソックス２５を引き下げ、開口部３２の縁に有する穴を５つ設けた伸縮性に優れた素材３３の５つの穴に足指をはめて足甲部２７にある開閉部３６を爪先部２６の縫合部で足底部２８へ折り返すことによって、図９に示すように足指及び開口部３２を隠して着装される。
【００３９】
なお、この第３実施例では、ソックスの足底部としたが、足甲部に構成してもよく、また、ストッキング及びタイツに構成してもよい。
【００４０】
【発明の効果】
この発明は前記のとおり、靴下の開閉部を折り返すと爪先部から足の露出が可能な開口部が現れ、この開口部より爪先から踵、足首の順に靴下を引き上げていくことで、靴下を全部脱ぐ必要がなく足を露出できるので、水虫や魚の目などの障害がある場合、目的の位置に応じて靴下を引き上げて薬剤を塗るなどの行為が容易になり、ズボンの下にウエストからなる靴下を着装している場合にはとても便利である。
【００４１】
さらに、靴下を着装している状態で開閉部を折り返して爪先だけを露出し、爪や足指の手入れかつペディキュアの塗布が可能になり、更に外出時にも爪先部のないサンダルなどを履いた状態で開口部からペディキュアを見せてお洒落に着用できる。
【００４２】
また、筒丈の長い靴下を着装する場合に、開閉部を折り返すことにより穴の開いた筒となることで靴下の爪先部まで両手でたくし持ちやすく、表裏を間違えてねじれることもなく、最後に開閉部を折り返して着装することで爪先に負担をかけることもなくなる。
【００４３】
また、この発明は第２実施例を採用したことにより、寝返りなどをする活発な乳児にも、開口部を両足の足首にはめてしまえば、そのままウエストまでをはかせて最後に足首から踵、爪先へと楽に着装させることが可能になり、更に乳児が床をハイハイしている時に、タイツを着装させたままでも足首にタイツを引き上げて足を開放させておけば爪先に力が入るので、乳児の動作を妨げることもなくなり便利である。
【００４４】
また、この発明は第３実施例で説明したように、開口部の縁に有する伸縮性に優れた素材に足指の入る穴を５つ設けたことにより、足指の間に溜まる砂埃やゴミ、更に足から発散された汗による蒸れを解消して皮膚炎の予防ができる。また、靴下と一連に構成したことにより、違和感がなくなり履き心地も良くなる。
【００４５】
また、この発明は第１実施例並びに第３実施例で説明したように、伸縮性に優れた素材の内側に凹凸を設けたことにより、足を動かすたびに凹凸が肌に当たって刺激となり、マッサージ効果が得られる。更に、保護、保温の機能を維持する開閉部を斜めに設けたことにより、開閉部を折り返しやすく、容易に開口部を現して足を露出することができる。
【図面の簡単な説明】
【図１】本発明の第１実施例の概略を示す底面図である。
【図２】本発明の図１のＡ−Ａ線断面図である。
【図３】本発明の第１実施例の使用状態を示す底面図である。
【図４】本発明の第１実施例の使用状態を示す斜視図である。
【図５】本発明の第２実施例の概略を示す平面図である。
【図６】本発明の第２実施例の使用状態を示す平面図である。
【図７】本発明の第２実施例の使用状態を示す斜視図である。
【図８】本発明の第３実施例の概略を示す底面図である。
【図９】本発明の第３実施例の使用状態を示す底面図である。
【図１０】本発明の第３実施例の使用状態を示す斜視図である。
【符号の説明】
１  ストッキング
２  爪先部
３  足甲部
４  足底部
５  踵部
６  脚部
７  履口部
８  開口部
９  凹凸を設けた伸縮性に優れた素材ａ
１０  カバー
１１  凹凸を設けた伸縮性に優れた素材ｂ
１２  開閉部
１３  タイツ
１４  爪先部
１５  足甲部
１６  足底部
１７  踵部
１８  脚部
１９  履口部
２０  開口部
２１  伸縮性に優れた素材ａ
２２  カバー
２３  伸縮性に優れた素材ｂ
２４  開閉部
２５  ソックス
２６  爪先部
２７  足甲部
２８  足底部
２９  踵部
３０  脚部
３１  履口部
３２  開口部
３３  穴を５つ設けた伸縮性に優れた素材
３４  カバー
３５  凹凸を設けた伸縮性に優れた素材
３６  開閉部
【図１】
2004308029.tif 000003
【図２】
2004308029.tif 000004
【図３】
2004308029.tif 000005
【図４】
2004308029.tif 000006
【図５】
2004308029.tif 000007
【図６】
2004308029.tif 000008
【図７】
2004308029.tif 000009
【図８】
2004308029.tif 000010
【図９】
2004308029.tif 000011
【図１０】
2004308029.tif 000012